(57)【特許請求の範囲】
【請求項１】
床部（２）と、該床部から鉛直方向（８）上方に延びる固定外壁領域（１８）と、
外壁（６ｂ）と、該外壁（６ｂ）の基底領域に配置されるシャフト（５０）と、
前記シャフト（５０）が内部に配置され、かつ前記固定外壁領域（１８）の外側から内方に、基本的に横方向（１２）に延びる横孔部区域（５４ｂ）を備え、前記シャフト（５０）が前記孔部区域においてずれることが可能な、前記固定外壁領域（１８）内のガイド孔部（５４）と、
前記固定外壁領域（１８）に配置される接触表面（７６）と、
前記固定外壁領域（６ｂ）の前記基底領域内に配置されるカム（５２）であって、前記外壁（６ｂ）が直立する際、前記接触表面（７６）に接触して、境界角度（６８）を超過すると、前記シャフト（５０）が、前記横孔部区域（５４ｂ）内方に移動し、それにより、前記境界角度（６８）の超過の後、前記シャフト（５０）または前記カム（５２）の作用により、前記外壁（６ｂ）の底部側（６６）が、第２の接触押圧力よりも大きい第１の接触押圧力で、前記固定外壁領域（１８）の内部縁部領域（９０）に対して押圧され、前記第２の接触押圧力は、前記外壁（６ｂ）の前記底部側（６６）を、前記シャフト（５０）または前記カム（５２）の作用により、直立鉛直位置における前記固定外壁領域（１８）の上側に対して押圧するのに用いられる、ように実施されるカム外形を備える、カム（５２）と、を含み、
前記接触表面（７６）が、前記カム孔部に前記カム（５２）が位置している状態で、前記固定外壁領域（１８）において配置されるカム孔部（５６）にさらに深く配置される、折り畳み式箱（１）。
【請求項２】
鉛直方向に垂直な水平方向（１１）に沿って、少なくとも１つの領域（７８ａ）において、前記横孔部区域（５４ｂ）が、前記固定外壁領域（１８）の材料によって鉛直方向（８）上向きに閉じられ、それにより、前記内部縁部領域（９０）に前記底部側が接触している前記境界角度（６８）の超過後に、接触角度が生じて、前記固定外壁領域（１８）の材料と接触している前記横孔部区域内部に、前記シャフト（５０）が位置する、請求項１に記載の折り畳み式箱（１）。
【請求項３】
前記内部縁部領域（９０）が、前記固定外壁領域（１８）の上側から横方向内方に延びる１または数個の固定突出部により形成されている、請求項１から２のいずれか１項に記載の折り畳み式箱（１）。
【請求項４】
前記内部縁部領域（９０）が、前記固定外壁領域（１８）の内部縁部（９０）により形成されている、請求項１から３のいずれか１項に記載の折り畳み式箱（１）。
【請求項５】
前記シャフト（５０）が、スペーサ（６４）を介して前記外壁（６ｂ）の基底（６６）に装着され、水平方向（１１）に前記スペーサの両側において前記スペーサ（６６）に対して対称的に延びる、請求項１から４のいずれか１項に記載の折り畳み式箱（１）。
【請求項６】
前記ガイド孔部（５４）が、基本的に鉛直方向（８）に延びる孔部区域（５４ａ）を付加的に備え、前記シャフト（５０）が、頂部から該孔部区域を通して導出される、請求項１から５のいずれか１項に記載の折り畳み式箱（１）。
【請求項７】
前記スペーサ（６４）を移動させることが可能な、横方向内方を通る前記固定外壁領域（１８）の材料を貫通する突破口を、前記ガイド孔部（５４）が備える、請求項１から６のいずれか１項に記載の折り畳み式箱（１）。
【請求項８】
前記シャフト（５０）が、前記ガイド孔部（５４）の前記横孔部区域（５４ｂ）において、内部に向かって、前記シャフト（５０）の横方向（１２）の中心が前記内部縁部領域（９０）よりも外側の方向に向かってより近接する端部位置に至る方向において移動する、請求項１から７のいずれか１項に記載の折り畳み式箱（１）。
【請求項９】
横方向外部にある前記カム孔部（５６）の外部境界表面によって、前記接触表面（７６）が形成される、請求項１〜８のいずれか１項に記載の折り畳み式箱（１）。
【請求項１０】
前記カム孔部（５６）が、前記カム（５２）を頂部から導出可能な、基本的に鉛直方向（８）に延びる孔部区域（５６ａ）と、前記カム孔部（５６）の前記横方向外側境界表面から内方へと横方向に延びる横孔部区域（５６ｂ）と、を備える、請求項１〜９のいずれか１項に記載の折り畳み式箱（１）。
【請求項１１】
前記横孔部区域（５６ｂ）が、頂部に向かって鉛直方向（８）に、前記固定外壁領域（１８）の材料によって、少なくとも１つの領域において画定される、請求項１０に記載の折り畳み式箱（１）。
【請求項１２】
前記カム（５２）が、前記境界角度超過時に、前記カム孔部（５６）の前記横孔部区域と係合し、前記横孔部区域（５６ｂ）の領域に内部凹部が設けられ、該内部領域において、前記カム孔部（５６）の前記横孔部区域（５６ｂ）が、前記固定外壁領域（１８）の材料によって鉛直方向（８）上向きに画定されるように、前記カム外形が実施される、請求項１１に記載の折り畳み式箱（１）。
【発明の詳細な説明】
【技術分野】
【０００１】
本発明は、容易に輸送可能な箱に関し、その側壁が、輸送用に折り畳み可能であり、かつ、組み立て状態において、自然に展開される恐れのない箱に関する。
【背景技術】
【０００２】
市場において、複数の折り畳み式箱または折り畳み式クレートが市販されており、それらは、底部または床部、および床部に対して折り畳める側壁からなり、側壁を折り込むことにより、箱を使用後に折り畳むことが可能なため、省空間でコスト効率良く、新たに使用される場所へと返送できる。
【発明の概要】
【発明が解決しようとする課題】
【０００３】
箱の安定性についても、厳しい要件がある。なぜなら、箱は、たとえば果物および野菜の輸送時に、畑の作業者によって畑で直接積み込まれ、野菜が最終消費者にまで輸送される全過程において、同じ箱の中に野菜がとどまる、すなわち箱が、輸送中に、できれば損傷なく、多くの積み込み過程および荷降ろし過程に耐えなければならないからである。さらに、箱がその目的にしたがって数回にわたって使用されることが、堅牢性に関する要件をさらに厳しいものとする。一方、なるべく低重量であるという重量に関する副次的な条件を維持する場合、折り畳み式箱の壁面および床部が、可能な限り堅牢であることが、もちろん非常に望ましい。さらに、そのような箱の輸送中に必要な、複数の取り扱い過程および動作のために、通常の操作が確実に、なるべく容易であるべきである。同時に、誤使用または誤操作をしても、使用される機械部品が壊れないことが保証されるべきである。特に、折り畳み式箱は、直立した壁面を互いに連結するロック機構を備え、これにより、組み立てられた箱に、必要な安定性が付与される。このロック機構は、強い力を必要とせずに、なるべく容易に操作可能であり、誤作動がないものでなければならない。しかしまた、誤った操作の可能性、すなわち、操作されていないのにロック機構に力が作用する可能性も考慮すべきである。この場合、ロック機構は間違いなく壊れてしまう。
【０００４】
そのような折り畳み式箱のさらなる要件は、折り畳み式箱のドアと外壁との間の折り畳み式の連結を形成するヒンジ機構が、大きな力を吸収し得ることである。ヒンジ機構は、組み立て状態において、通常、全荷重が配される床部と、握り用の穴部が通常配置される外壁との間の、唯一のノンポジティブ連結をもたらす。箱の堅牢な実施例が用いられても、箱の個々の部品、すなわち特に床部または側壁のうちの１つの破壊が、日々の使用において常に防がれるとは限らない。よって、ノンポジティブ連結の解体が容易であることによって、重荷重の搬送能力が損なわれることなく、床部から側壁が容易に取り外しできることが望ましい。
【０００５】
そのような折り畳み式箱は、例えば収穫された畑からの果物や野菜を消費者に輸送するためなど、多くの異なる目的で大規模に産業上使用可能であるため、そのような折り畳み式箱は、部分的に影響を与え合う多くの異なる要件を満たさなければならない。ここでの要件の一部は、輸送可能性の観点から生ずる。よって、特に望ましいのは、箱が展開状態において低い積付け高さしか有さず、したがって輸送中のパレット上に、多数の展開された箱をなるべく高く積み上げて輸送可能とすることである。さらに、箱はなるべく軽いことが求められる、すなわち、最小限の材料を用いて、箱の重量に対する積載能力または積載量の比率を、なるべく低くとどめることが求められる。これとは別に、そのような箱は、しばしば食料の輸送に用いられ、箱の内側面が、なるべく平滑または平坦で、食料の載置台が箱の内側に引っ掛からないことが必要である。同時に、箱は安定していなければならないが、そうすると大きな平坦面の利用が難しくなる。さらに、箱の洗浄が容易であることが保証されるべきであり、これは平坦面を必要とする一方で、自動洗浄システムにおいて、洗浄中に使用される洗浄剤や水が、箱から流れ落ちることができるようにもしなければならない。このため、排水穴または排水孔が必要となるが、これも、要求される高安定性とは矛盾する。洗浄に関して、特に望ましいのは、少なくとも一部の外壁が、組み立て状態において自立すること、すなわち組み立て状態のままであることである。なぜなら、上手く完全に洗浄するには、箱の全内側体積に容易に届くことが必要だからである。
【課題を解決するための手段】
【０００６】
本発明の一部のさらなる実施形態によれば、組み立て後の組み立て状態に保持される外壁を備える折り畳み式箱が提供され、外壁が自然に展開されることも防止される。
【０００７】
本発明の一部の実施形態では、外壁の床部に配置されたシャフトおよびカムの両方を含む特殊ヒンジ構成を用いることにより、折り畳み式箱の床部から外壁を容易に解体することができ、これにより、外壁を組み立てるときにのみ、床部と外壁との間のノンポジティブ連結が形成される。これを実現するために、一部の実施形態では、床部において、または固定され、かつ床部から鉛直方向上方に延びる外壁領域において（すなわち、組み立て側壁の方向において）、外壁領域も床部と一体的に製造してよい、シャフトを配置する凹部を配置する。さらに、床部上に、公知の相対的な向きにおいて、床部に対して配置される表面である接触面を配置する。カムは、添付の図面の一部に関して後に詳述するとおり、組み立て時に外壁に堅固に連結されているカムが、該接触面に接触する、すなわちこれと接触し、かつこれによって支持されるような立体外形として実施されるか、あるいはそのような立体外形を備える。このように支持されることで、外壁に堅固に連結されているシャフトを並進移動させる。ガイド穴部または孔部の形状は、基本的に鉛直方向に（すなわち床部表面に基本的に垂直に）貫通する孔部区域と、外部から内部に向かって、横方向に貫通する該孔部に実質的に垂直な横孔部区域とを備えるように実施される。孔部区域および横孔部区域の両方は、シャフトを該２区域において移動させるのに十分な大きさの断面を備える。外壁の展開状態において、シャフトはまず、ガイド孔部の孔部区域の床部上に配置され、鉛直方向上方において、孔部区域を通って除かれ得る。よって、シャフトは展開状態において外壁を解体する際の邪魔にならない。
【０００８】
ノンポジティブ連結の形成は、外壁の組み立ての際にのみ行われる。組み立ての際、カムの外形は、カムをガイドまたは支持する接触面との接触状態にある。外壁を介してカムとシャフトとが堅固に連結され、接触面においてカムがガイドされることにより、シャフトのガイド孔部における横孔部領域への移動が達成され、孔部領域が少なくとも１箇所において上向きに閉じられる、すなわちたとえば外壁または固定外壁領域の材料によって上方向に制限される。シャフトがこのように横孔部区域において位置づけられると、シャフトを頂部から除かなくてよく、鉛直方向において外壁と床部との間が連結される構造がもたらされる。これにより、シャフトは、力を吸収するか、あるいは重量による荷重に耐え得る。すなわち、接触面において支持されるカムにガイドされて、シャフトにより、揺動または並進移動が実行され、これにより、シャフトが横孔部区域における最初の位置から横孔部区域における最終位置まで移動させられる。よって、壁面が組み立てられると、外壁と床部との間の安定性の高い連結がもたらされるとともに、展開状態においては、シャフトをガイド孔部の頂部から除くことができ、壁面を解体し得る。
【０００９】
一部の実施形態では、床部において、または床部から上方に延びる固定外壁領域において、カムを配置するためのさらなる凹部を配置する。このカム孔部において、支持表面を配置する。一部の実施形態において、支持表面は、外側側壁またはカム孔部の境界表面により形成される。
【００１０】
本発明の一部のさらなる実施形態において、結果的に生じる連結の搬送能力または安定性は、カム孔部が鉛直方向を通る孔部区域および横方向を通る横孔部区域も備えることによってさらに増強され、組み立て状態において、カムの要素またはカムの凹部が、組み立て中にカム孔部の横孔部区域に係合するような外形をカムが有するか、あるいはカムがそのように形状的に実施される。これにより、カムが、カム孔部の横孔部区域上方に位置する床部の大きな材料により、引張応力でカム孔部から上方に向かって摺動して抜け出ることも防止される。したがって、組み立て状態におけるカム孔部内のカムも、さらに重量を受け止める、あるいは付加的な荷重を担持することが可能であり、これにより、本実施形態における折り畳み式箱の安定性または強度が増す。ここで、本発明のさらなる実施形態において、カム孔部は、側壁の展開状態におけるカムが、カム孔部から上方に向かって除かれるような鉛直方向の断面を備え、したがって、カムが付加的な荷重を担持し得る本実施形態においても、道具を用いることなく外壁が展開状態へと解体可能である。一部の実施形態において、カム孔部とガイド孔部の両方が、共通の外壁に至るまで外方に横方向において延びて、該孔部が換言すれば横方向において同一の寸法を備えるように、形状が選択される。鉛直方向と横方向とに垂直な方向において、一部の実施形態におけるカム孔部またはガイド孔部は、シャフトの水平の外延またはカムの水平の外延よりもわずかに大きい寸法を備えて、外壁と床部または床部の固定外壁領域との間のこの寸法において、ゆるみのない連結が可能になる。すなわち、ガイド孔部およびカム孔部の水平の外延は、基本的に、シャフトまたはカムの水平寸法に相当し、孔部の水平の外延は、たとえば０．５ｍｍまたは１ｍｍほどわずかに大きい。
【００１１】
上述のヒンジ構成または上述のうちの１実施形態による折り畳み式箱を使用することにより、外壁を完全に折り畳むことが可能であり、展開状態において、―折り畳み式箱から−たとえば洗浄のためにスペア部品に交換されて−容易に除き得る、折り畳み式箱をもたらすことが可能であり、外壁と床部または床部の固定外壁領域との間の連結により、従来は、解体できない従来のヒンジを用いる場合のみであったような、強い力の吸収が、なお可能である。
【００１２】
本発明の一部の実施形態は、ガイド孔部内のシャフトを備える上述のヒンジ構成に基づいており、該ガイド孔部は、鉛直方向における除去に適する孔部領域を必ずしも備える必要がない。ガイド孔部は、固定外壁領域の外部から内方に向かって横方向に延びる横孔部区域を備えていればよく、シャフトを、孔部区域内でずらすことが可能である。ここで、外壁の基底区域に配置されるカムをさらに用いることが必要となり、該カムは、上昇または直立の際に、カム外形が接触面に接触することにより、既に境界角度を超えている場合に、側壁が完全に直立される前に、シャフトが横孔部区域へと移動されるように実施されるガム外形を備える。
【００１３】
一部の実施形態において、カム外形は、外壁を直立させる際に、外壁の下面が、直立の際に、上方に延びる床部の固定外壁領域の内側縁部領域に接触する前に、境界角度を超えるように実施される。内部縁部領域を有する外壁の床部が最初の接触の際に、シャフトが、横孔部区域における内部位置に既に位置づけられていることにより、シャフトが基本的に上向きの力を吸収することが可能である。
【００１４】
シャフトがこの力を既に吸収可能であるので、外壁をさらに立てる際に、内部縁部領域にわたり、外壁に堅固に連結されるシャフトの作用により（たとえば内壁の基底部に取り付けられたスペーサを介して）、外壁の下面が、固定外壁領域の内部縁部領域に対する第１の押圧力によって押圧される。第１の押圧力は、上昇された鉛直位置において、すなわち内部縁部領域を越えた後に、外壁の下面をシャフトにより固定外壁領域の上部に対して押圧するのに用いられる第２の接触押圧力よりも大きい。
【００１５】
すなわち、外壁が内部縁部領域に接触する前に横孔部区域内へ（内部端部位置まで）シャフトを内方に移動させることにより、外壁を持ち上げさせる、または直立させる際に、力閾値が超えられるようにする。シャフトの作用により境界角度を超えた後に、外壁の下面に作用するこの閾値力は、外壁の下面と床部の固定外壁領域との間の直立の際に作用する最も大きな力である。したがって、この力が超過された後、すなわち外壁が完全に直立された後、外壁が直立位置に保持される。なぜなら、外壁の下面と固定外壁領域との間の直立位置において作用する力はより小さく、したがって外力無しで外壁の重量の力により単に折り畳むことによっては、外壁が内部縁部領域を乗り越えることができないからである。
【００１６】
よって、本発明の上述の実施形態は、折り畳み式箱の外壁が直立状態において互いにスナップ留めまたはラッチ留めされていなくても、直立後に、外壁が自然に展開状態へと折り戻されない折り畳み式箱を提供することができる。
【００１７】
このことは、折り畳み式箱の全自動洗浄においてかなりの利点となり得る。というのは、そのような洗浄は、たとえば誤操作により、外壁のラッチ留めが自然に再び内方に折れる場合などには、手動で繰り返さなければならないからである。また、従来、外壁を折って組み立てる場合、自立式外壁はとりわけ、既に組み立てられた壁面を手動で確実に直立状態のままとしなくても、残りの壁が後ほど持ち上げ可能であり、さらに既に組み立てられた壁とのラッチ留めまたは連結が可能なように組み立てることが可能であるために、大きな利点となり得る。そのような折り畳み式箱の寿命において生じる複数の取り扱い過程に関して、これは効率とコストの面でかなりの利点である。
【００１８】
特に、たとえば、先行技術において通常行われているごとく、ヒンジのシャフトなどのシャフト可動部分にクランパを設ける必要なく（これはヒンジの移動の制限ともなり得る）、組み立て状態の外壁を、自動的に直立状態に保つことができるという機能性も達せられる。そのようなクランパは、特にプラスチック部品を用いる場合、摩滅を受けやすく、そのために、側壁の移動の阻止、ひいては機能性が、経時的におのずと低減される。しかし、本発明の実施形態において、横孔部区域において、シャフト自体の移動により全く磨耗が生じないので、基本的に磨耗が生じない。関与する部品の弾性追従動作による摩擦なしに力が生成されることにより、たとえばシャフトを外壁に連結するブリッジまたはスペーサなどの、力を吸収する部品を正確に寸法決めすることで、確実に摩滅無しで連続的に機能させることが保証される。
【００１９】
本発明の一部のさらなる実施形態によれば、箱の床部に関して折り畳み可能であり、かつ内方に外壁を折り畳むことが可能に配置された、各々対向する長手方向側外壁および横断方向側外壁の２対を備えた、折り畳み式箱が提供される。組み立て状態において、４つの外壁は、互いに機械的に連結され、あるいはラッチ留めされることにより、高い安定性を備える折り畳み式箱が得られる。
【００２０】
ラッチ留めを実現するために、長手方向側外壁の各々が、それぞれの端部において、組み立て状態の横断方向側外壁の方向に延びる突出部を備え、この突出部が、横断方向側外壁が外部に折れることを制止する、すなわちストッパとしての作用を有する。長手方向側という用語は、あらゆる実施形態において、実際に長いほうの外壁がこの突出部を有しなければならないという印象を与えるものではない。一部の代替実施形態においては、この突出部を備えるのは、横断方向側として言及される、短いほうの外壁であり、したがって、長手方向側および横断方向側という用語は、任意に互換的に用いられてよい。横断方向側外壁のいずれかが、横断方向側外壁の外側に配置された、ばねで初荷重がかけられたラッチ留め機構を備える。このラッチ留め機構は、組み立て状態において、長手方向側外壁の突出部とラッチ留め可能な、鉛直方向に可動であるスナップ留め要素またはラッチ留め要素またはロック要素を備える。
【００２１】
よって、スナップ留め要素が、突出部、または突出部に連結された物体に直接嵌まることが可能であるか、あるいはこれらに掛かることが可能である。スナップ留め要素の鉛直移動により、スナップ留め要素を本質的に力無しで移動可能とすることができる、すなわち、スナップ留め要素またはラッチ留めを解除する際、ばねで初荷重がかけられたラッチ留め機構のばねのばね力のみを上回ればよく、したがって、通常の操作において単純な方法でラッチを解除することが可能である。これにより、横断方向側外壁を、長手方向側外壁から分離して、折り畳むことが可能である。横方向の折り方向または水平方向において、スナップ留めまたはその解除が行われ、またロックやロック解除が、側壁間の連結により力を吸収する必要のない１方向において生ずるところの従来の解決策に関して、鉛直方向におけるスナップ留めまたはその解除は、利点を有する。したがって、スナップ留め要素のロックまたはロック解除に大きな力を用いる必要がない。ロックまたはラッチ留めが、開閉によって外壁が移動される１方向において生ずるロック方法では、通常のロックまたはロック解除動作において、ロックを解除するには、ロックの大きな閉鎖力または締付け力を必ず克服する必要がある。これは、取り扱いの速度と信頼性に関する損失につながるが、これらは鉛直ロック機構によって防止し得る。
【００２２】
以下に記載のロック機構の実施形態によれば、組み立て状態における突出部および／またはスナップ留め要素は、鉛直方向に関して、接触面を付加的に備え、該接触面は、ロック機構が、横断方向側外壁に作用する内向きの所定の力の超過の際に、ばねの予圧に反して開くように傾斜される。ロックタブまたはキャッチまたは突出部の横側面または縁部において、スナップ留め要素および突出部のロックタブまたは突出部自体が互いに沿って摺動するが、これらの横側面または縁部は、互いに対して傾斜されて、その傾斜しだいで、折り畳み式箱の外部から横断方向側外壁に力が作用したときに、力成分も常に、鉛直方向、すなわちスナップ留め要素に対するばねの予圧に反して作用する。したがって、たとえば誤操作によって大きな力が横断方向側外壁に作用した場合に、いわば緊急の解除が可能になる。よって、箱や側壁の交換につながるロック機構の故障が生じない。
【００２３】
突出部または突出部に取り付けられたロックフックに対して、スナップ留め要素が傾斜していることにより、緊急解除をもたらす、あるいはばね初荷重に反するロック機構の解除をもたらす所定の力を、広範囲にわたって任意にかけることができる。ここで、従来の方法とは対照的に、ロックが自動的に解除される所定の大きさの力は、ロック機構が通常動作する際に発揮される必要がある力に影響を与えない、つまり、スナップ留め要素を手動で操作する際に鉛直方向において生ずる。よって、本発明の実施形態は、互いに依存的な２つの操作方法、すなわち通常の方法と誤操作のうちの一方のパラメータを必要とせずに、快適な通常の操作と誤操作に対する付加的な安全確保との両方を可能にする。したがって、本発明による折り畳み式箱の実施形態を、非常に堅固に製造することが可能であり、従来のスナップ留め要素の手動操作によってのみならず、箱またはスナップ留め機構に損傷を生じさせることなく、横断方向側外壁を叩いたり踏んだりすることにより、連続操作におけるラッチ留めを解除することができる。
【００２４】
本発明の一部の実施形態によれば、少なくとも１つの外壁が、特に安定した構造を備える。該構造は、それ自体安定性が高く、箱の外側面に対して凸状の球状壁面領域が、ブリッジとリブの構成の手段で連結されることによってもたらされる有利な特徴を有する。これにより、安定性は高いが軽量な、極めて薄く安定した外壁がもたらされる。一部の実施形態によれば、外側面に対して凸状の外壁の２つの球状壁面領域の間に、外壁の高さにわたって延びる、外壁の外部に配置されるブリッジが設けられる。さらに、１以上のリブが、球状壁面領域の間を通り、該リブが、ブリッジから、ブリッジの両側の球状表面領域の各々１つに至るまで延びる。よって、本発明の外壁のこれら実施形態は、各々隣接する球状表面の間において、互いに隣接して配置され、かつリブとブリッジの構成の手段で互いに連結される球状表面を含んで、外壁の結合の堅牢性を高める。
【００２５】
球状表面の利点は、ねじれについて、ある大きさまで本質的に耐性があるということであり、これは縁部領域の表面の曲率によってもたられる。この点において、球状表面は、平らな基底表面から所定の方向に隆起する表面とみなされ、外形に関して、該表面は、基底表面から階段状に突出しないが、この外形は、所定の半径を有するｓ字状に基底表面から離れる。上昇または隆起ののち、球状表面領域が、完全に平らであり、かつ球状表面の縁部におけるｓ字型の外形に依存する距離において、基底表面と平行な部分的な面も含んでよい。球状表面内の平らまたは水平な表面が大きすぎると、この表面はふたたび安定性が低減するため、本質的に安定性の高い球状表面のサイズに関しては制限がある。したがって、側壁としての個々の球状表面を広い側面と共に用いることによっては、安定性を支えるという大きな効果は得られない。しかし、球状表面は、両側において平坦であり、エッジやクラックを有さないので、食料の輸送に非常に適している。なぜなら、食料がエッジ等にひっかかる危険がないからである。
【００２６】
本発明の一部の実施形態では、一壁面において数個の凸状表面領域が用いられ、それらは外壁の高さにわたって延びるリブに垂直な、リブとブリッジの構成によって相互連結されて、それ自体安定した凸状表面領域が、非常にねじれ耐性の高い方法で高額な材料費をかけることなく連結される。これにより、低い壁面強度を持ちつつ、全体的には非常に堅牢な構造がもたらされる。本発明の一部の実施形態において、ブリッジおよびリブは、もっぱら外壁の外部に配置されるため、箱の内側において、リブとブリッジのとがった縁部に食料がひっかかることによる衛生的な問題を生ずることなく、補剛効果が達成される。本発明の一部の実施形態において、外壁を折り畳み式箱の床部に連結するあらゆるヒンジ構成が、基本的に、球状表面間にブリッジが位置する領域内に配置される。外壁の高さにわたって延びるブリッジは、最大引張応力を担持し得る構造であるため、ヒンジ要素が形成する構成により、床部への動力伝達または力の伝達に関しても最高の安定性要件を備える構造または外壁が形成され、同時に、この構造は、内側面において平坦または平滑であり、したがって洗浄が容易な、薄くて省材料な外壁しか必要としない。
【００２７】
下記において、本発明の一部の実施形態を、添付の図面を参照してより詳細に説明する。
【図面の簡単な説明】
【００２８】
【図１】折り畳み式箱の実施形態の全体図を示す。
【００２９】
【図２】図１の箱の実施形態の上面図である。
【００３０】
【図３】図１の折り畳み式箱の側面図である。
【００３１】
【図４】折り畳み式箱のさらなる実施形態の全体図である。
【００３２】
【図５】本発明の一部の実施形態において使用されるヒンジ構成のカムとシャフトの詳細図である。
【００３３】
【図６】異なる視点から見た図５のカムとシャフトのさらなる詳細図である。
【００３４】
【図７Ａ】図５および図６のシャフトとカムを受容するためのガイド孔部およびカム孔部の詳細図である。
【００３５】
【図７Ｂ】異なる視点から見た図７Ａの詳細図である。
【００３６】
【図８】ヒンジ構成の実施形態の上面図である。
【００３７】
【図９Ａ】折り畳み式箱の展開状態におけるシャフトの断面図である。
【００３８】
【図９Ｂ】展開状態におけるカムの断面図である。
【００３９】
【図１０Ａ】半開状態におけるシャフトの断面図である。
【００４０】
【図１０Ｂ】半開状態におけるカムの断面図である。
【００４１】
【図１１Ａ】開放状態におけるシャフトの断面図である。
【００４２】
【図１１Ｂ】開放状態におけるカムの断面図である。
【００４３】
【図１２】スナップ留め要素を備えるロック機構を有する折り畳み式箱の実施形態の横断側壁の側面図である。
【００４４】
【図１３Ａ】スナップ留め要素の実施形態である。
【００４５】
【図１３Ｂ】スナップ留め要素のさらなる実施形態である。
【発明を実施するための形態】
【００４６】
図１は、折り畳み式箱の実施形態の半斜視図を示す。ここで、この明細書の範囲における折り畳み式箱は、一方向（頂部への鉛直方向）に開き、かつ、床部に連結されて、床部に対して移動、または組み立て、または展開が可能な床部および４つの外壁または側壁を備える、箱またはクレートである。展開状態において、すなわち、全ての４つの壁面が床部に折りかぶせられると、箱は低い組み上げ高さしか有さず、容易に輸送可能である。
【００４７】
よって、図１の折り畳み式箱は、床部と、対向する横断方向側外壁４ａおよび４ｂの対と、対向する長手方向側外壁６ａおよび６ｂの対とを備える。ここで、以下の説明において外壁を特定するために、外壁を、横断方向側外壁よりも長く延びる長手方向側外壁として指定していることに留意されたい。これは、長手方向側外壁に関して説明される特徴が、本発明の全ての実施形態において、長いほうの壁においてのみ実施されるかぎりにおいて、限定的とみなされるべきではない。むしろ、長手方向側および横断方向側という用語は、それぞれ説明される外壁の特定のためのみに用いられる。すなわち、長手方向側および横断方向側という用語は、交換してもよく、したがって、長手方向側外壁について説明される特徴が、横断方向側においても、もちろん両側の側壁においても（同時に）実施可能である。概して、以下に説明されるいかなる特徴も、互いに任意に組み合わせてよく、したがって、本発明の折り畳み式箱の一部の実施形態が、ただ１つの特徴のみを備え、他の実施形態がすべての特徴を備えることもあり得るということである。
【００４８】
既述のように、図１は、組み立て状態における折り畳み式箱を示し、箱は、すべての側壁が折り畳まれたときに、折り畳み状態にあるとみなされるべきである。個々の特徴の説明を簡略化するために、以下の説明について、特定の方向または形状的な関係を、以下のとおり定義する。鉛直方向８は、基本的に床部２の表面に垂直に通り、この関係における頂部と底部という相対位置指定は、底部よりも鉛直方向に床部からさらに隔てられた位置を指定するものとみなされるべきである。内側または内部という相対位置指標は、外側または外部という用語によって指定される位置よりも、箱によって囲まれる容積に対して、より近い位置を指定する。外部または外側は、たとえば、長手方向側外壁６ｂに関して、それらの構成要素が、図１の半斜視図において直接視認可能に描かれていることを意味する。側壁の高さは、図１に示される組み立て状態において、鉛直方向８に延びる外延であり、厚さまたは幅は、外壁の内側と外側との間の最大外延である。
【００４９】
横および水平という方向情報は、ここで外壁とみなされるところのものをそれぞれ示す。水平方向とは、考慮される側壁の長手方向の最大の外延に沿った方向であり、したがって、外壁６ｂに関する水平方向とは、たとえば、矢印１１によって示されることになる。横方向は、外側と内側との間、または組み立て状態における壁の内側または内部側との間の方向のことであり、したがって、たとえば、外壁６ｂについて、符号１２により指定される横方向となる。この定義を横断方向側外壁４ｂに対応して適用すると、水平方向は１４、横方向は１５となる。よって、箱の組み立て状態において、各外壁に関して、横方向、鉛直方向、および水平方向は、基本的な直交座標系を定める。これとは別に、位置または向き情報に関する解釈の疑義が生じた場合には、その情報は常に、図１に示す組み立て状態における箱に関連するものとみなされるべきである。
【００５０】
図１から分かるように、本発明の一部の実施形態は、床部２を備え、一方では、水平で平面の主要部からなり、２つの対向する外側において、床部から鉛直方向上方に延びる固定外壁領域１８を備える。より分かりやすい図示として、図１において、固定外壁領域はハッチングの方法で図示されており、たとえば、ヒンジ要素を受容するか、あるいは設けて、折り畳み状態における側壁対が、確実に他方の側壁対に載置されるようになる役割を果たしてよい。以下の要素の論述において、鉛直方向上方に延びる固定外壁領域は、床部に属するとみなされることにより、一部の論述される特徴が、水平床部領域において実現されてよい。
【００５１】
図２は、床部２、長手方向側外壁６ａおよび６ｂ、横断方向側外壁４ａおよび４ｂがよく見える図１において図示された折り畳み式箱の上面図の新たな図を示す。さらに、少なくとも図２において推測できるのは、組み立て状態において、長手方向側外壁および横断方向側外壁が、各々隣接する縁部において、互いにラッチ留めされており、組み立てられた箱が高い安定性を達成することである。ここでのみ示され、以下の段落の一部において詳細に論じられるように、ロックまたはラッチ留めのために、長手方向側外壁は、横断方向側外壁４ａから外部への、すなわち組み立て方向への折れ加減を制限する、横断方向側外壁４ａの方向に延びる突出部を備え、よって、いわゆるストッパとして作用する。この機構を、長手方向側外壁６ａの角部２０に関して以下に論じる。ロックの際、横断方向側外壁４ａに配置されるスナップ留め要素が、突出部２２と係合し、これとラッチ留めされて、機構的に耐久性または抵抗性が高い連結を形成して、箱の高い安定性を達成する。
【００５２】
図３は、本実施形態の外壁６ｂの有利な特徴の一部がよく見える、折り畳み式箱の実施形態の側面図を示す。図３に図示される外壁６ｂの実施例は、折り畳み式箱の外側に対して凸状の球状表面領域が、リブおよびブリッジという補剛要素と組み合わされているという、他とは異なる特徴を有する。これにより、結果的に、外壁は、非常に安定性が高いが、同時に基本的に内側において平滑または平坦となり、横方向において小さな外延である小さい厚みのみを備えることになる。横方向における厚みは、使用される材料および重量に関してのみならず、特に、達せられる積付け高さ、すなわち展開状態における箱の高さについての基準であり、この箱の高さは基本的に、床部の厚み、横断方向側外壁および長手方向側外壁からもたらされる。所与の柔軟性を有する壁が薄いほど良い。
【００５３】
これは、ここで説明される実施形態において、外部または外側に関して凸状の球状壁面領域２０ａ、２０ｂ、および２０ｃからなる外壁によって達成され、これら領域は、リブとブリッジの構成の手段で連結される。あるサイズまで、球状壁面領域は、既述のように、その形状により本質的に安定性が高い。図３に図示のとおり、球状壁面領域２０ａおよび球状壁面領域２０ｂとの間に、外壁の外側に設けられたブリッジ２２が、外壁の高さ２４にわたって延びて、すなわち鉛直方向８を通って設けられている。このブリッジは、鉛直方向において高い強度をもたらす。ブリッジ２２から、複数の水平方向を通るリブ２６ａから２６ｃが、ブリッジ２２に隣接する球状表面領域２０ａおよび２０ｂに至るまで延びる。本質的に剛性の高い球状表面領域と、少なくとも１つのブリッジおよび該ブリッジから隣接する球状表面へと延びる少なくとも１つのリブを含む、球状表面領域を連結するリブとブリッジの構成との組み合わせにより、材料をほとんど用いない非常に薄く安定した外壁をもたらすことができる。これは、両方の球状表面が、外側に突出または湾曲しており、かつリブが外部に取り付けられているために、内側が基本的に平坦または平滑な表面を有するという利点を有し、すなわち、可能な組み上げ高さが最大限の効率まで利用されて、可能なかぎり剛性の高い全体構造を達成する。
【００５４】
また、球状表面要素を連結するブリッジとリブの構成を利用することにより、球状表面要素を穿孔したり、あるいはこれらに複数の孔部を設けたりして、材料を節減することが可能であり、さらに壁面を全面的に洗浄することができる。穿孔が球状表面領域の構造を弱くすることは、球状表面領域間のブリッジおよびリブの使用により、全体の安定性がなお維持されているため、ここでは容認し得る。図３において、さらなる数個の任意のブリッジが、球状領域にわたって延びて、全体の安定性のさらなる増強に資している様子が図示されている。しかし、一部の実施形態においては、要求される安定性が球状表面領域とブリッジとの組み合わせによって既に保証可能であるため、これらのブリッジは任意である。
【００５５】
すなわち、本発明のさらなる実施形態は、球状表面領域２０ａ、２０ｂ、２０ｃとの間に、ブリッジ２２および３０のみを備える。全体構造の安定性をさらに増強するために、外壁が床部２または固定外壁領域１８に折り畳み可能に連結されるところのヒンジ構成が、外壁６ｂの基底部（床部２に面する外壁６ｂの端部）の位置で、ブリッジが外壁の基底領域まで延びる領域においてのみ配置される。ここではごく簡単に触れるヒンジ構成またはヒンジ機構４０ａ、４０ｂ、４０ｃおよび４０ｄのいずれかが、図３および図１に示す実施形態において、鉛直方向８を通るブリッジの領域において配置される。このことは、ヒンジが箱の積み込みの際に鉛直方向８に作用する力を吸収しなければならないので、全体構造の安定性増強につながり、したがって、鉛直方向における荷重を吸収する役割も果たすブリッジの位置においてヒンジが配置されると、非常に有利である。
【００５６】
これが可能なブリッジは、概して、外壁の高さを超えて延びる横方向の外壁表面から突出する材料である。この定義を同義に適用すると、リブもまた外壁の表面から横方向に延び、リブは、基本的に水平の向き沿いを通る。一部の他の実施形態では、リブは水平ではなく異なる向きを通り、異なる向きにおいても、ブリッジから、ブリッジに隣接する球状表面領域まで、少なくとも１つのリブが延びることが保証されることになる。
【００５７】
図４は、図１に示される実施形態とは異なる折り畳み式箱のさらなる実施形態の図を、異なる寸法取りによって示す。特に、図４に示される折り畳み式箱は、より低い高さ、すなわち、より限定された鉛直方向８の範囲を有する。図１および図４における折り畳み式箱の残りの特徴は同じであるので、特徴の説明について、図１に関して記載されたことを参照する。図１においても、図４に示される箱のより限定された高さに関しても、なお隣接する球状表面領域の概念が実現可能である、すなわち、図４から推測できるように、ブリッジと、ブリッジから延びる少なくとも１つのリブの手段で、隣接する球状表面領域の各々に連結される。したがって、図４は、球状壁面領域と、これらを連結するブリッジとリブの構造との機能的協働に、非常に柔軟性があることを示しており、異なる形状的境界条件に容易に適合させることが可能である。特に、図４（図１と同様）において、折り畳み式箱の中央領域に握り用孔部４６を取り付けることもできるようになっており、この握り用孔部を用いて、箱の普段の使用において通常であるように、全荷重が持ち上げられる。ここで、球状表面領域を使用することにより、握り領域により除かれ、握り領域の下部に位置する、球状表面領域を構成することが可能となり、その結果、握りの領域においても、安定性を増強する球状表面領域を、無くさなくてもよくなる。図４に示すように、握りは、その下の球状表面領域に、鉛直方向を通るブリッジの手段で連結され、これにより、力の方向における安定性の増強につながる。さらに、握りの外形は、球状表面領域間に配置されるブリッジ２２および３０に、さらなるリブを介して直接連結されており、構造の安定性を実際には弱める握り領域４６の孔部は、握りに作用する力が、隣接する球状表面領域に直接伝達され得るために、全体の安定性には影響しないことにつながる。
【００５８】
それとは別に、図４において、機能的に同一または類似の機能要素もしくは特徴に、図１において既に用いられたのと同様の参照符号が付される。このことは、機能的に同様または機能的に類似の要素または特徴についても、同一の参照符号が各々付される以下の図面にも該当する。
【００５９】
図５および図６は、異なる視点から、折り畳み式箱１のヒンジ構成４０ｃの基底領域において配置される、外壁６ｂおよびカム５２の基底領域において配置される、シャフト５０の拡大断面を示し、図５は、内側の図、内部から外部への横方向の図であり、図６は、該部分に対応する、外部から内部への図である。本実施形態におけるシャフト５０は、基本的に円筒形であり、水平方向に延びる。シャフトの断面は、円形以外の形状であってもよく、たとえば、楕円、矩形、立方形、または三角形であってもよい。カムは、基本的に立方形であり、カムの外形は、数箇所において、立方形から逸脱して、カムの異なる機能を達成する。
【００６０】
図７Ａおよび図７Ｂは、図５および図６に対応し、図７Ａおよび図７Ｂは、床部２の固定外壁領域１８内に位置し、シャフト５０およびカム５２が内部に配置される、異なる視点からのガイド孔部５４およびカム孔部５６も示す。ここで、図７Ａは、内部から外部への図を示し、図７Ｂは、外部から内部への図を示す。図５から図７Ｂは、解体された状態におけるヒンジ構成の特徴を示し、図８から図１１Ｂは、組み立てられた状態におけるヒンジ構成を示し、カム５２がカム孔部５４内に位置し、シャフト５０がガイド孔部５４内に位置することにより、図８から図１１Ｂに関して、ヒンジ構成の異なる部品の相互作用または協働が推測できる。ここで、図８は、外壁６ｂの展開状態におけるヒンジ構成の上面図を示し、図９Ａから図１１Ｂは、外壁６ｂの組み立ての異なる段階において図示されるヒンジ構成の断面図を示す。図９Ａ、図１０Ａ、および図１１Ａは各々、シャフト５０の断面線６０における断面を示す。図９Ｂ、図１０Ｂ、および図１１Ｂは、図８の断面線６２におけるカム５２の断面を示す。ヒンジ構成の機能を、図５から図１１Ｂを参照して、以下に説明する。
【００６１】
図８から推測されるように、ここに説明される本発明の実施形態において、シャフト５０は、ガイド孔部５４内に配置され、カム５２は、カム孔部５６内に配置される。ガイド孔部５４は、２つの機能的に異なる領域に分割される、すなわち、基本的に鉛直方向８に延びる孔部部分つまり区域５４ａ、および固定外壁領域１８の外側から基本的に横方向１２に延びる、またはガイド孔部５４内方に延びる横孔部区域５４ｂである。ここに例示される実施形態において、横孔部区域５４ｂは、ガイド孔部５４の床部に位置するが、これは限定的とみなされるべきではない。むしろ、本発明のさらなる実施形態において、横孔部区域も、鉛直方向のさらに上に配置されてもよい。
【００６２】
同様に、カム孔部５６は、基本的に鉛直方向に延びる孔部区域５６ａを備える。カム孔部５６も、外部または外側境界から横方向に延びる横孔部区域５６ｂ、すなわちカム孔部５６内方への限定部分を備える。異なる孔部区域は、図９Ａおよび図９Ｂの断面図に最も分かりやすく特定されており、それらにも対応する参照符号が付されている。機能の例示の分かりやすさを損なわないために、残りの図面において、孔部区域には、各々参照符号を付さなかった。鉛直方向を通るガイド孔部５４の孔部区域５４ａは、鉛直方向上方への側壁６ｂの展開状態において、ガイド孔部５４からシャフト５０を除くことができるように、十分な大きさの断面を備える。これらの図面に例示されるように、シャフト５０は、スペーサ６４を介して基底部６６に連結される、すなわち鉛直方向８における外壁６ｂの下方端部に堅固に連結される。図９Ａから図１１Ｂに例示される壁を、増大する開度６８（α）の方向に組み立てる際、シャフト５０は、ガイド孔部５４に対して回転される。同様に、外壁６ｂの基底部６６に恒久的に固定されたカム５２は、カム孔部５６に対して回転される。図７Ａから図１１Ｂを参照して説明される本発明の実施形態において、基本的に鉛直方向を通るカム孔部５６の孔部領域５６ａも、展開状態におけるカム５２が、カム孔部５６から鉛直方向上方に向かって導出され得るのに十分な大きさの断面を備える。図８における外壁６ｂの半上面図から推測されるように、上述のタイプの４つのシャフトと２つのカムとを介して、側壁６ｂが固定外壁領域１８に連結される。
【００６３】
展開状態において、外壁６ｂは、いかなる道具も使用することなく簡単に解体可能であり、これにより、損傷を受けているかもしれない外壁の交換が容易となる。外壁を展開するには、ガイド孔部５４とカム孔部の両方が、各々孔部５４および５６の内側または内部境界壁における内側突破口または穿孔７０または７２を備え、その内部において、シャフトのスペーサ６４または側壁６ｂの基底部６６にカム５２を装着するように働くカム５２の部分が移動可能である。
【００６４】
よって、従来のヒンジ機構とは対照的に、展開状態における側壁と固定外壁領域との間の連結は、いかなる道具も使用せずに開放することが可能である、すなわち鉛直方向における展開状態において外壁６ｂに作用する力は、ヒンジ構成によって吸収されない、あるいは床部２に伝達されない。なぜなら、それは組み立て状態の箱を積むことが可能となるには必要だからである。
【００６５】
本発明の実施形態における静止摩擦または粘着は、外壁６ｂが直立する際にのみ発生し、この点において、カム５２およびシャフト５０が以下のように協働する。図９Ａおよび図９Ｂに例示される展開状態において、シャフト６０が、鉛直方向を通るガイド孔部５４の孔部区域５４ａ内に位置し、カム５２も、鉛直方向を通るカム孔部５６の孔部区域５６ａ内に位置する。ここで例示される実施形態において、シャフト５０およびカム５２の両方が、各々のガイド孔部の外側側壁に対して作動または接触し、シャフト５０またはカム５２に力は作用しない。
【００６６】
ここに例示する実施形態においてカム５２の外形は、シャフトの外形のように、基本的に放射状ではなく、カム孔部５６の外側に対して作動または接触する縁部７４を有し、Ｌ字型である。カム孔部５６の外壁または外側７６は、外壁６ｂを直立させる、または持ち上げる際に、固定外壁領域１８における接触面として作用し、該領域において、外壁６０を直立させる際、カム５２は、いわば支持される。よって、縁部７４を有するカムのＬ字型の外形によって、直立開始直後に、内方に向かう力が側壁６ｂに作用することで、横孔部区域５４ｂにおけるシャフト５０が、内方に移動され、その結果、所定の閾値角度または境界角度を既にこえたときに、図１０Ａに図示されるように、シャフトが横孔部区域５４ｂ内（横孔部区域５４ｂにおける内側端部位置において）位置づけられる。たとえば図７から推測されるように、横孔部区域５４ｂは、固定外壁領域１８の材料によって、鉛直方向上向きに閉じられる。この限定は、図７において、２つの突起７８ａおよび７８ｂによって形成され、横孔部区域５４ａの上部から、ゲート孔部５４へと延び、シャフトがガイド孔部５４から出る可能性を防止する。カム５２およびカムの接触面７６のために、直立させる際、シャフト５０は、横孔部区域５４ｂ内で、シャフト５０が頂部に向かってガイド孔部から除かれ得ない位置まで、横方向内方に移動され、その結果、シャフトが床部２まで外壁６ｂ上に鉛直方向上方に作用する力を伝達することが可能である。
【００６７】
よって、概してカム５２は、外壁を直立させる際に、カム外形が、接触面５６に接触して、シャフト５０が横孔部区域５４ｂ内方へと移動されるように実施されるカム外形を備える。接触面の形はここでは重要ではなく、図面に例示される平面の接触面は、接触面のあらゆる形状の一例としてのみみなされるべきであり、これにより、カム上にかかる力を示すことになる。たとえば、接触面も、鉛直方向８に関して傾斜していてもよく、これによっても、接触面５６に対して基本的に円形のカム外形と組み合わせることにより、位置合わせの際に、シャフトが内方へと移動されることとなる。本実施形態によっても、シャフト５０が内方に移動されるように接触面と接触するように、カム外形が実施されるかぎり、カムの形状は実質的に任意であってよいことが明らかとなる。
【００６８】
したがって、図１１Ａに示される完全組み立て状態において、シャフト５０は、ガイド孔部５４の横孔部区域５４ｂに配置されて、外壁６ｂおよび床部が、ノンポジティブの方法で連結される。ここで例示される実施形態は、外壁６ｂの組み立て状態において、ガイド孔部５４の外側縁部まで横方向に延びる２つの突出部８０ａおよび８０ｂを追加で備える。これらの任意の突出部８０ａおよび８０ｂはさらに、外壁６ｂが組み立て状態にあるときに、シャフト５０がたとえば弾性変形によって望ましくない形でその位置から変位することを防止する。
【００６９】
ここで例示される実施形態は、カム５２のさらなる任意の実施例または機能性をさらに備える。ここで例示される場合において、カム孔部５６ｂの横孔部区域５６ｂが固定外壁領域１８の材料によって、上方への移動が制限される位置において（張り出し部８２ａおよび８２ｂの位置において）、カム外形はＬ字型であり、その結果、図１０Ｂおよび図１１Ｂから推測されるように、カム孔部の横孔部区域５６ｂへとカムが係合する。これにより、直立状態において、力が外壁６ｂから床部２にカム５２によって伝達され、それによって、この任意の特徴が実施されたときに、全体構造の安定性をさらに増強し得る。
【００７０】
上述のように、接触面７６を持つカム５２と、ガイド孔部５４に配置されるシャフト５０との機能的協働によっても、本発明によれば、展開状態において解体可能であり、かつ外壁６ｂの組み立て状態において、必要な力を床部２に送ることが可能なヒンジ構成を設けることができる。
【００７１】
また、本発明のさらなる実施形態を、図６から図１１Ｂを参照して以下に論じる。この実施形態は、折り畳み式箱１の床部２にヒンジ構成の手段で外壁を連結できるようにし、外壁６ｂが直立後に直立位置を自ら保持するようにする。鉛直方向においてガイド孔部５４およびカム孔部５６を実施して、カム５２およびシャフト５０が、頂部から除かれ得るようにするということは、本実施形態に関しては主たる重要性を有することではないので、本発明のここで説明している実施形態においては、この特徴は任意である。壁面の自立を可能にする本発明の実施形態において、図１０Ａに例示されるように、外壁６ｂの直立の際に、ある閾値角度６８を超えると、外壁６ｂの下面または基底部６６が固定外壁領域１８の内側縁部領域１９または内側縁部９０に接触する前に、シャフト５０が内方に移動されるように、カム５２のカム外形がガイド表面７６と接触するように実施されることが必要である。
【００７２】
それから、シャフト５０を、鉛直方向に作用する力を吸収する前に、内側縁部領域９０のシャフト５０までの距離の大きさを決められるように予め配置してよく、それにより、外壁６ｂを、縁部９０を越えて移動させる際、すなわちシャフト５０の作用により境界角度６８を超える際、外壁６ｂの下面６６を押圧するのに用いられる第２の接触押圧力よりも大きい接触押圧力によって、直立鉛直位置において、固定外壁領域１８の上側に対して、シャフト５０の作用によって、外壁６ｂの下面６６が内側縁部領域９０に対して押圧される。図示されていない代替実施形態において、カム外形の内側は、これがたとえば頂部に向かってカム孔部５６を画定するカム孔部５６の材料８２ｂとすでに接触している場合、縁部９０を超える際に、接触押圧力がカム５２の作用によって達成されるように実施されてよい。
【００７３】
概して、組み立てられた壁面は、カム外形が、外壁６ｂを直立させる際、外部表面７６に接触して、境界角度または閾値角度６８を超えるときに、シャフト５０が内方に向かって本来の孔部区域５４ｂ内へ移動されるように実施される場合に、組み立て状態において保持される。これにより、シャフト５０またはカム５２の作用によって、境界角度６８を超えた後に、外壁６ｂの下面６６が、第１の接触押圧力によって、固定外壁領域１８の内側縁部領域９０に対して押圧される。この第１の接触押圧力は、外壁６ｂの下面６６を、直立位置において、シャフト５０またはカム５２の作用によって固定外壁領域１８の上側へと押圧するのに用いられる第２の接触押圧力よりも大きい。
【００７４】
組み立ての際に抵抗を克服すべき外壁領域を、固定外壁領域１８の内側縁部９０の全長によって形成しなくてもよい。むしろ、たとえば必要とされる力に影響を与えるために、内側縁部９０の形状的に画定された領域のみを、展開の際に外壁６ｂと接触させることも可能である。この点において、たとえば、外壁の内部縁部９０の位置において、内方に延びる突出部を形成して、外壁６ｂが、これらの突出部に起因する抵抗を克服しさえすればよいようにしてよい。たとえば、これは、外壁６ｂを直立させる際に必要とされる力を設定し、ひいてはユーザの要求にこの力を適合させることに役立ち得る。
【００７５】
一部の実施形態において、シャフト５０が内方へと移動された後、横方向１２におけるシャフト５０の中央は、内側縁部９０よりも折り畳み式箱１のさらに外側の方向にあって、内部縁部９０とシャフト５０との距離が固定外壁領域１８の頂部側とシャフト５０との間の距離よりも大きくなる。これは、自動的に、上述の力の比率をもたらす。本発明の全ての実施形態では、外壁６ｂは、従来の場合のように、シャフトの遅れ等による摩擦ではなく、材料の弾性変形によって直立に保持されるので、磨耗を起こすことなく、組み立てられた外壁６ｂが、自ら組み立て状態に留まるという本発明の実施形態の機械力学が提供される。
【００７６】
図１２および図１３Ａまたは図１３Ｂに関して、本発明のさらなる実施形態を説明する。該実施形態は、非常に力を節約し、あるいは効率的であり、あるいは非常に動きが滑らかで堅牢な方法で操作が可能なロック機構１００を備える一方で、ロック機構の誤操作の際に、損傷無く自動的に開くことを保証する緊急ロック解除機能も追加で備える。図１２は、図１に例示される折り畳み式箱の側面図を示す。ここで、上面図において例示される横断方向側外壁４ｂは、スナップ留め要素１００を有する、ばねによる予圧または初荷重がかけられたロック機構１００を備え、該スナップ留め要素は、外壁６ａおよび６ｂに対して、あるいは横断方向側外壁４ｂの方向に長手方向側外壁６ａおよび６ｂから延びる突出部２２に対して、ラッチで留めることが可能である。これにより、スナップ留め要素が突出部と機械的に着脱可能に連結されることが可能であり、その結果、長手方向側側壁６ａおよび６ｂならびに横断方向側側壁４ｂが、堅固に、しかし互いに着脱可能に機械的に連結され、安定性の高い組み立て済みの箱１が得られる。
【００７７】
以下において、スナップ留め要素を、図１２に例示される角部２０に関して論ずる。該角部において、横断方向側側壁４ｂが、長手方向側側壁６ｂとラッチ留めされる。ここで、図１３Ａおよび図１３Ｂは、図１２の断面線１０２に沿った断面図を示し、図１３Ａおよび図１３Ｂにおいて、スナップ留め要素が、突出部２２と連結またはラッチ留めされている領域１０４のみが拡大されて図示されている。図１３Ａおよび図１３Ｂは、ここで、スナップ留め要素１００または突出部２２の数種の可能な実施例の１つを例示的に示す。長手方向側側壁６ａおよび６ｂが既に組み立てられた状態で、突出部２２は、横断方向側外壁４ｂの方向に延びる。組み立ての際、これにより、突出部２２が横断方向側外壁４ｂの外方への折り畳み性を制限し、かつ、いわば横断方向側外壁のストッパとして作用するようになる。組み立ての際、横断方向側外壁４ｂは、組み立て位置において突出部２２に接触する。同時に、スナップ留め要素１００は、外壁６ｂの突出部の位置において嵌まり込み、長手方向側外壁と横断方向側外壁との間の機械的に着脱可能な堅固な連結が得られる。
【００７８】
ここで例示される実施形態において、突出部２２は、長手方向側外壁６ａと基本的に平行な、内方に延びるロックフック１０６を備え、このフックは、内方に向かう第１の接触面１０８と、外方に向かう第２の接触面１１０とを含む。組み立て方向１１３において、横断方向側外壁１０４を組み立てる際、長手方向側外壁６ｂと、これとともに、突出部２２と、突出部２２に取り付けられたロックフック１０６とが、固定位置にある。組み立ての際、横断方向側外壁４ｂとともに、横断方向側外壁に連結されたスナップ留め要素１００は、図１３Ａに図示される組み立て方向１１３において、ロックフック１０６に対して移動される。ここで、内方に向かう第１の接触面１１２と、外方に向かう第２の接触面１１４とをさらに備えるスナップ留め要素１００は、内方に向かうロックフック１０６の接触面１０８に接触する。内方に向かうロックフック１０６の接触面１０８の傾斜により、スナップ留め要素またはロック要素１００は、鉛直方向８の上方に向かって移動され、図１３Ａおよび図１３Ｂに図示されるロックフック１０６のロック位置にスナップ留めされ得る。
【００７９】
スナップ留め要素１００および、ばねで予圧がかけられたロック機構は、ここで説明される実施形態において一体的に実施されるため、同様の参照符号が付される。また、ここで論じる本発明の実施形態において、ばねによる予圧または初荷重は、ロック機構と一体的に形成されるばね要素１２０ａおよび１２０ｂによって得られ、ばね要素は、その弾性および形状によりロック機構１００上にばね力を発揮する。スナップ留め要素１００がロックタップ１０６のロック位置にあると、長手方向側側壁６ａおよび６ｂと、横断方向側側壁４ｂとが、機械的にラッチ留めまたは結合および連結されて、箱が高い安定性を有する。ロックは、ここで、鉛直方向上方においてロック機構１００を作動させることにより、単純な方法で解除することが可能であり、これは単純な方法で、かつ箱を持ち上げるのと同時であっても、搬送孔部１２８の下部に配置される握り領域１０６を有するロック機構の形により、実行可能である。
【００８０】
ロックとロック解除は鉛直方向８において行われ、かつこの方向においては、長手方向側外壁６ａ、６ｂおよび横断方向側外壁４ｂとの間の連結により吸収されるべき力がないので、ロックおよびロック解除のために、大きな力が用いられなくてよく、該機構を、簡単で確実に操作し得る。本発明の実施形態によれば、外方に向かうロックフック１０６の第２の接触面１１０も、鉛直方向８に関して傾斜され、かつ／あるいはロックの第１の接触面１１２または内方に向けられたスナップ留め要素１００が傾斜される。ここで、本発明の実施形態において、内方に向けられたロックフックの第１の接触面１０８の平均傾斜は、ロックフック１０６の第２の接触面１１０の平均傾斜よりも大きい。外方に向けられたロックフック１０６の第１の接触面１１０も、内方に向けられたスナップ留め要素１００の第２の接触面１１２に対して傾斜されるので、外部から横断方向側外壁４ｂに力がかかっても、力成分がスナップ留め要素１００に対して上方に作用する。
【００８１】
これにより、ばねより予圧がかけられたロック機構が、所定の力の超過時にも壊れることなく、自動的に開く。この力は、ばねの初荷重を考慮して、外方に向けられたロックフック１０６の第２の接触面１１０と、内方に向けられたスナップ留め要素１１０の第１の接触面１１２との間の相対的な傾斜を調節することにより任意に設定される。これにより、本発明の説明された実施形態において、ロック機構は移動方向に垂直にロックするように実施されるが、操作誤りが生じても、ロック機構が壊れることが防止される。
【００８２】
図１３Ａおよび図１３Ｂに説明される実施形態においては、突出部２２の位置で、追加のロックフック１０６が取り付けられるが、本発明の代替実施形態は、突出部２２と、あるいは突出部２２自体に設けられた好適な孔部に、直接連結してもよい。ここで決定的なのは、組み立て状態における突起２２もしくはこれに連結される要素、および／またはスナップ留め要素１００は、鉛直方向８について、横断方向側外壁４ｂへの内向きの所定の力を超えたときに、ばねの初荷重に反して、ロック機構１００が開くように傾斜された接触面１１０および１２０を備える。
【００８３】
図１２において説明した実施形態において、ばねにより予圧がかけられたロック機構１００およびスナップ留め要素は、各々一体的に実施されるが、もちろんこれらの部品を数片で実施することも可能であり、あるいは、たとえばロック機構を各側について別々に実施することも可能である。また、これらの場合においても、壊れることのない緊急ロック解除機能が維持され得る。
【００８４】
上記の実施形態のいずれも、野菜等の輸送のために、ここで用いられる折り畳み式箱に関して記載された。もちろん、本発明による折り畳み式箱は、この分野の適用に限定されない。むしろ、類似の折り畳み式箱を用いて、ビン等の輸送のような、異なる輸送作業を行うことも可能であり、特に、床型または内部外壁の外形を、特殊な作業向けにより適合するように変更してもよい。
【００８５】
選択材料に関しても、あらゆる組み合わせが可能である。したがって、本発明による折り畳み式箱の製造のために、たとえばプラスチック、金属、または木を用いてよい。殊に堅牢に実施されるため、ここでもまた、たとえば皿やカトラリー等を輸送するケータリングの場合のように、安全かつ確実に重荷重を輸送できる。上述の実施形態のうちの１つを使用することにより、衛生的で、洗浄が容易で、非常に堅牢で、小さく折り畳み可能で、扱いが極めて簡単かつ効率的な折り畳み式箱が得られるので、本発明の折り畳み式箱の応用分野は、複数の有益な特徴のために実質的にいかなる使用にも適するため、限定されない。
【図１】
0005401602.tif 000002
【図２】
0005401602.tif 000003
【図３】
0005401602.tif 000004
【図４】
0005401602.tif 000005
【図５】
0005401602.tif 000006
【図６】
0005401602.tif 000007
【図７Ａ】
0005401602.tif 000008
【図７Ｂ】
0005401602.tif 000009
【図８】
0005401602.tif 000010
【図９】
0005401602.tif 000011
【図１０】
0005401602.tif 000012
【図１１】
0005401602.tif 000013
【図１２】
0005401602.tif 000014
【図１３】
0005401602.tif 000015